(57)【要約】【課題】  カムフォロア及び駆動軸の回動運動を規制するとともに騒音の発生を低減することができる電動歯ブラシを提供する。【解決手段】  第２の内ケース１２ｂの軸支部２１に、第１の内ケース１２ａの軸支部１５に軸支された回転軸１６を挿入するように、第２の内ケース１２ｂを第１の内ケース１２ａに取り付けることにより、弾性円板２０をカムフォロア１９と第１の内ケース１２ａの軸支部１５との間に挟みこむ。弾性円板２０には、カムフォロア１９をフェイスギア１７の方向へ付勢する弾性力が生じ、カムフォロア１９は、軸支部１５上の弾性円板２０とフェイスギア１７との間に挟まれることになり、カムフォロア１９及び駆動軸２４の回動運動は規制される。【選択図】  図１
2005237900.tif 000002
【特許請求の範囲】
【請求項１】
回転軸に回動自在に取り付けられ、駆動モータにより回動される歯車と、
前記回転軸に回動自在に取り付けられ、前記歯車と一体に回動する偏心カムと、
前記偏心カムに摺接して往復動するカムフォロアと、
前記カムフォロアに固定され、ブラシ体を往復動させる駆動軸とを有する電動歯ブラシであって、
前記カムフォロアを前記歯車との間で挟む位置に弾性部材を備えた
ことを特徴とする電動歯ブラシ。
【請求項２】
前記弾性部材は、前記回転軸に取り付けられた
ことを特徴とする請求項１に記載の電動歯ブラシ。
【請求項３】
前記回転軸が軸支される軸支部が形成されたケースを備え、
前記回転軸は、前記弾性部材を前記軸支部と前記カムフォロアとの間に挟みこむように、前記軸支部に軸支される
ことを特徴とする請求項２に記載の電動歯ブラシ。
【請求項４】
前記弾性部材は、プラスチックフィルムである
ことを特徴とする請求項１乃至３いずれか１項に記載の電動歯ブラシ。
【発明の詳細な説明】
【技術分野】
【０００１】
本発明は、電動歯ブラシに関する。
【背景技術】
【０００２】
従来の電動歯ブラシの一例として、駆動モータのピニオンと噛合するフェイスギアの回転軸に取り付けられた偏心カムの回動運動がカムフォロアに伝達されて、このカムフォロアが往復直線運動をし、このカムフォロアに固着された駆動軸がカムフォロアに連動して往復直線運動をすることにより、ネック部の先端のブラシ体を往復直線運動させたり、回動運動させて、歯をブラッシングするものが知られている（例えば、特許文献１参照。）。
【特許文献１】特開２００２−１９１６２６号公報  （第１図）
【発明の開示】
【発明が解決しようとする課題】
【０００３】
上述したカムフォロアとカムフォロアに固着された駆動軸は、往復直線運動をする際に、回動運動をしてしまうことがあり、このため、ブラシ体の動きが不安定になったりするので、この回動運動を規制する必要がある。このカムフォロア及び駆動軸の回動方向の動きを規制するために、フェイスギアとケースに形成されたフェイスギアの回転軸の軸支部との間にカムフォロアを挟みこんだり、あるいは、ケースに突起を形成して、この突起とフェイスギアとの間にカムフォロアを挟みこんだりしていた。
【０００４】
しかしながら、このようにカムフォロア及び駆動軸の回動運動を規制しても、カムフォロア及び駆動軸の回動方向の動き（暴れ）により、ケースとカムフォロアとの間に隙間が生じてしまい、生じた隙間においてカムフォロアが回動振動して、ケースにぶつかり、騒音が発生してしまうという問題があった。電動歯ブラシは耳の近くで使用するために、騒音は不快なものとなる。
【０００５】
本発明は、上記実情に鑑みてなされたもので、カムフォロア及び駆動軸の回動運動を規制するとともに騒音の発生を低減することができる電動歯ブラシを提供することを目的とする。
【課題を解決するための手段】
【０００６】
上記目的を達成するため、本発明の第１の観点に係る電動歯ブラシは、
回転軸に回動自在に取り付けられ、駆動モータにより回動される歯車と、
前記回転軸に回動自在に取り付けられ、前記歯車と一体に回動する偏心カムと、
前記偏心カムに摺接して往復動するカムフォロアと、
前記カムフォロアに固定され、ブラシ体を往復動させる駆動軸とを有する電動歯ブラシであって、
前記カムフォロアを前記歯車との間で挟む位置に弾性部材を備えた
ことを特徴とする。
【０００７】
また、前記弾性部材は、前記回転軸に取り付けられたことを特徴とする。
【０００８】
また、前記回転軸が軸支される軸支部が形成されたケースを備え、
前記回転軸は、前記弾性部材を前記軸支部と前記カムフォロアとの間に挟みこむように、前記軸支部に軸支されることを特徴とする。
【０００９】
また、前記弾性部材は、プラスチックフィルムであることを特徴とする。
【発明の効果】
【００１０】
本発明によれば、カムフォロア及び駆動軸の回動運動を規制するとともに騒音の発生を低減することができる電動歯ブラシを提供することができる。
【発明を実施するための最良の形態】
【００１１】
本発明の実施形態に係る電動歯ブラシについて、以下図面を参照して説明する。この電動歯ブラシは、図２および図３に示すように、ケース１と、ネック部２とを備えている。ネック部２は、ケース１に着脱自在に取り付けられている。
【００１２】
ケース１は、外ケース１１と内ケース１２とにより構成されている。外ケース１１の内部に内ケース１２が収納される。外ケース１１は、本体ケース１１ａと電池カバー１１ｂとにより構成されている。電池カバー１１ｂは、本体ケース１１ａに着脱自在に取り付けられ、電池カバー１１ｂを着脱して電池を交換することが可能になっている。
【００１３】
内ケース１２は、第１の内ケース１２ａと第２の内ケース１２ｂとにより構成されている。第２の内ケース１２ｂは、第１の内ケース１２ａに嵌められて取り付けられる。第１の内ケース１２ａは、電池収納室１２１ａ、モータ収納室１２２ａ、カム部材収納室１２３ａ、および、駆動軸収納室１２４ａにより構成されている。電池収納室１２１ａには、電池１３が装着されている。モータ収納室１２２ａには、駆動モータ１４が取り付けられている。電池１３が、駆動モータ１４の駆動電源である。また、第２の内ケース１２ｂには、スイッチ３０が設けられている。スイッチ３０をオンして通電することにより、駆動モータ１４は駆動する。
【００１４】
カム部材収納室１２３ａには軸支部１５が形成されている。カム部材収納室１２３ａには、図１に示すように、軸支部１５に軸支された回転軸１６と、回転軸１６に回動自在に取り付けられたフェイスギア１７と、フェイスギア１７に一体に形成された偏心カム１８と、偏心カム１８に摺接するカムフォロア１９と、弾性部材である弾性円板２０とが収納されている。なお、第２の内ケース１２ｂにも、回転軸１６を軸支するための軸支部２１が形成されている。
【００１５】
フェイスギア１７は、駆動モータ１４のモータ軸２２に圧入されたピニオン２３と噛合することにより、駆動モータ１４のモータ軸２２の回動に伴って回動する。
【００１６】
偏心カム１８は、円柱状に形成されている。カムフォロア１９には、図３に示すように、楕円形状の孔１９ａが形成されており、この楕円形状の孔１９ａ内に、偏心カム１８は位置する。回動する偏心カム１８にカムフォロア１９の楕円形状の孔１９ａの内周面が摺接することにより、カムフォロア１９は電動歯ブラシの長手方向に往復直線運動を行う。また、カムフォロア１９には、駆動軸２４が固着されている。よって、カムフォロア１９と駆動軸２４とは一体となって往復直線運動を行う。
【００１７】
弾性円板２０は、ばね性を有し、カムフォロア１９および駆動軸２４の回動を規制するための部材である。弾性円板２０は、プラスチックフィルムからなり、例えば、ポリカーボネイトにより形成されている。弾性円板２０は、中央に孔２０ａが形成されており、この孔２０ａに回転軸１６を挿入することにより、回転軸１６に弾性円板２０を取り付けることができる。弾性円板２０の径は、カムフォロア１９の楕円形状の孔１９ａの長径より大きいことが望ましい。
【００１８】
第２の内ケース１２ｂの軸支部２１に、第１の内ケース１２ａの軸支部１５に軸支された回転軸１６を挿入するように、第２の内ケース１２ｂを第１の内ケース１２ａに取り付けることにより、弾性円板２０は、カムフォロア１９と第１の内ケース１２ａの軸支部１５との間に挟まれるように配置される。これにより、弾性円板２０には、カムフォロア１９をフェイスギア１７の方向へ付勢する弾性力が生じるので、カムフォロア１９は、軸支部１５上の弾性円板２０とフェイスギア１７との間に挟まれることになり、カムフォロア１９および駆動軸２４の回動運動は規制されることになる。
【００１９】
駆動軸収納室１２４ａには、カムフォロア１９に固着された駆動軸２４と、駆動軸２４を支持する２つの軸受２５とが収納されている。
【００２０】
ネック部２内には、アーム２６が設けられている。アーム２６の一方の端には、駆動軸２４をアーム２６と連結するための連結部材２６ａが形成されている。これにより、駆動軸２４を介してアーム２６も往復直線運動を行う。ネック部２の先端には、回動ブラシ体２７が回動自在に取り付けられている。回動ブラシ体２７の中心から偏心した位置に図示しない駆動ピンが取り付けられており、この駆動ピンにアーム２６の他方の端が取り付けられている。これにより、アーム２６の往復直線運動を回動ブラシ体２７の回動運動に変換することができ、回動ブラシ体２７の回動運動によって歯磨きを行うことができる。
【００２１】
このように本実施形態の電動歯ブラシでは、弾性円板２０をカムフォロア１９と第１の内ケース１２ａの軸支部１５との間に挟んで配置するようにして、カムフォロア１９を、フェイスギア１７方向に付勢する力を有するとともに軸支部１５上にある弾性円板２０とフェイスギア１７とにより挟み込むようにしたので、カムフォロア１９に過負荷をかけることなく、カムフォロア１９および駆動軸２４の回動運動を規制することができる。よって、カムフォロア１９および駆動軸２４の回動方向の暴れを低減することができ、カムフォロア１９が内ケース１２に回動振動してぶつかることにより生じる騒音を低減することができる。その結果、電動歯ブラシ使用者は快適な歯磨きを行うことができる。
【００２２】
また、弾性円板２０はばね性を有するので、カムフォロア１９の動きに対して柔軟性をもって、カムフォロア１９および駆動軸２４の回動規制を行うことができる。
【００２３】
また、弾性円板２０は、回転軸１６を孔２０ａに挿入させることにより容易に回転軸１６に取り付けることができるので、弾性円板２０をねじ止めしたり、溶着で固定したりする煩わしさがない。
【００２４】
また、第２の内ケース１２ｂの軸支部２１に、第１の内ケース１２ａの軸支部１５に軸支された回転軸１６を挿入すれば、弾性円板２０には、カムフォロア１９をフェイスギア１７の方向へ付勢する弾性力が容易に生じて、容易にカムフォロア１９等の回動運動を規制することができる。
【００２５】
以上、実施形態を挙げて本発明を説明したが、本発明は上記実施形態に限定されるものではなく、種々変形が可能である。例えば、本実施形態では、回動ブラシ体２７を用いる例について説明したが、ブラシ体は軸方向に往復直線運動するものであってもよい。
【００２６】
また、本実施形態では、外ケース１１と内ケース１２によりケース１が構成される例について説明したが、内ケース１２は必ずしも必要なく、外ケース１１内部に部材を収納するようにしてもよい。
【００２７】
また、本実施形態では、弾性円板２０を、カムフォロア１９と第１の内ケース１２ａの軸支部１５との間に挟んで配置する例について説明したが、第１の内ケース１２ａとカムフォロア１９との隙間を小さく、または、無くすために、第１の内ケース１２ａに突起を形成して、この第１の内ケース１２ａの突起とカムフォロア１９との間に弾性円板２０を配置するようにしてもよい。
【００２８】
また、本実施形態では、ネック部２をケース１に着脱自在としたが、ネック部２とケース１は一体であってもよい。
【００２９】
また、本実施形態では、フェイスギア１７を用いる例について説明したが、傘歯車を用いてもよい。
【００３０】
また、本実施形態では、弾性円板２０を用いる例について説明したが、弾性部材であればよく円形である必要はない。
【００３１】
また、弾性円板２０の径は、カムフォロア１９の楕円形状の孔１９ａの長径より大きいことが望ましいが、弾性円板２０の径は、弾性円板２０がカムフォロア１９の楕円形状の孔１９ａに落ちて傾いたりしない大きさであればよい。
【００３２】
また、本実施形態では、第１の内ケース１２ａの軸支部１５に軸支された回転軸１６に、弾性円板２０、カムフォロア１９、フェイスギア１７を順に取り付けた例について説明したが、一方の内ケースの軸支部に軸支された回転軸１６に、フェイスギア１７、カムフォロア１９、弾性円板２０を順に取り付けるようにしてもよい。そして、軸支されていない回転軸１６の端を他方の内ケースの軸支部に挿入して２つの内ケースを組み立てることにより、弾性円板２０にカムフォロア１９をフェイスギア１７の方向へ付勢する弾性力を生じさせるようにしてもよい。
【図面の簡単な説明】
【００３３】
【図１】本発明の実施形態に係る電動歯ブラシのカム部材付近の拡大側面図である。
【図２】本発明の実施形態に係る電動歯ブラシの側面図である。
【図３】本発明の実施形態に係る電動歯ブラシの背面図である。
【符号の説明】
【００３４】
１        ケース
２        ネック部
１４      駆動モータ
１６      回転軸
１７      フェイスギア
１８      偏心カム
１９      カムフォロア
１９ａ    孔
１５      軸支部
２４      駆動軸
【図１】
2005237900.tif 000003
【図２】
2005237900.tif 000004
【図３】
2005237900.tif 000005